【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
第１マイクロレンズを透過した光を光電変換する第１光電変換部と、
第２マイクロレンズを透過した光を光電変換する第２光電変換部と、
前記第１光電変換部で光電変換された電荷を転送する第１転送トランジスタと、
前記第２光電変換部で光電変換された電荷を転送する第２転送トランジスタと、
第１ゲートを有する第１出力トランジスタと、
第２ゲートを有する第２出力トランジスタと、
前記第１転送トランジスタのドレインと前記第１ゲートとを接続するための第１接続スイッチと、
前記第２転送トランジスタのドレインと前記第２ゲートとを接続するための第２接続スイッチと、
を備える撮像素子。
【請求項２】
請求項１に記載の撮像素子において、
前記第１転送トランジスタのドレインと前記第２転送トランジスタのドレインとを接続するための第３接続スイッチを有し、
前記第２接続スイッチは、前記第３接続スイッチによって前記第１転送トランジスタのドレインと前記第２転送トランジスタのドレインとを接続しているときに、前記第２転送トランジスタのドレインと前記第２ゲートとが切断状態となるように制御される、撮像素子。
【請求項３】
請求項２に記載の撮像素子において、
前記第１接続スイッチは、前記第３接続スイッチによって前記第１転送トランジスタのドレインと前記第２転送トランジスタのドレインとを接続しているときに、前記第１転送トランジスタのドレインと前記第１ゲートとが接続状態となるように制御される、撮像素子。
【請求項４】
請求項２または３に記載の撮像素子において、
前記第１接続スイッチは、前記第３接続スイッチが切断されているときに、前記第１転送トランジスタのドレインと前記第１ゲートとが接続状態となるように制御され、
前記第２接続スイッチは、前記第３接続スイッチが切断されているときに、前記第２転送トランジスタのドレインと前記第２ゲートとが接続状態となるように制御される、撮像素子。
【請求項５】
請求項１〜４のいずれか一項に記載の撮像素子において、
前記第１出力トランジスタのゲートと接続される第１リセットトランジスタと、
前記第２出力トランジスタのゲートと接続される第２リセットトランジスタと、
を有する撮像素子。
【請求項６】
請求項５に記載の撮像素子において、
前記第１リセットトランジスタは、前記第１接続スイッチを介して前記第１転送トランジスタのドレインと接続され、
前記第２リセットトランジスタは、前記第２接続スイッチを介して前記第２転送トランジスタのドレインと接続される、撮像素子。
【請求項７】
請求項１〜６のいずれか一項に記載の撮像素子において、
前記第１出力トランジスタのソースと接続される第１選択トランジスタと、
前記第２出力トランジスタのソースと接続される第２選択トランジスタと、
を有する撮像素子。
【請求項８】
請求項１〜７のいずれか一項に記載の撮像素子において、
前記第１出力トランジスタからの信号が出力される第１信号線と、
前記第２出力トランジスタからの信号が出力される第２信号線と、
を備える撮像素子。
【請求項９】
請求項２〜４のいずれか一項に記載の撮像素子において、
第３マイクロレンズを透過した光を光電変換する第３光電変換部と、
第４マイクロレンズを透過した光を光電変換する第４光電変換部と、
前記第３光電変換部で光電変換された電荷を転送する第３転送トランジスタと、
前記第４光電変換部で光電変換された電荷を転送する第４転送トランジスタと、
第３ゲートを有する第３出力トランジスタと、
第４ゲートを有する第４出力トランジスタと、
前記第３転送トランジスタのドレインと前記第３ゲートとを接続するための第４接続スイッチと、
前記第４転送トランジスタのドレインと前記第４ゲートとを接続するための第５接続スイッチと、
前記第３転送トランジスタのドレインと前記第４転送トランジスタのドレインとを接続するための第６接続スイッチを有し、
前記第２接続スイッチは、前記第３接続スイッチによって前記第１転送トランジスタのドレインと前記第２転送トランジスタのドレインとを接続しているときに、前記第２転送トランジスタのドレインと前記第２ゲートとが切断状態となるように制御され、
前記第４接続スイッチは、前記第６接続スイッチによって前記第３転送トランジスタのドレインと前記第４転送トランジスタのドレインとを接続しているときに、前記第３転送トランジスタのドレインと前記第３ゲートとが切断状態となるように制御される、撮像素子。
【請求項１０】
請求項９に記載の撮像素子において、
前記第１光電変換部と前記第２光電変換部は行方向に配置され、
前記第３光電変換部と前記第４光電変換部は行方向に配置される、撮像素子。
【請求項１１】
請求項１０に記載の撮像素子において、
前記第１光電変換部と前記第２光電変換部は隣に配置され、
前記第３光電変換部と前記第４光電変換部は隣に配置される、撮像素子。
【請求項１２】
請求項９〜１１のいずれか一項に記載の撮像素子において、
前記第１光電変換部と前記第３光電変換部は列方向に配置され、
前記第２光電変換部と前記第４光電変換部は列方向に配置される、撮像素子。
【請求項１３】
請求項１２に記載の撮像素子において、
前記第１光電変換部と前記第３光電変換部は隣に配置され、
前記第２光電変換部と前記第４光電変換部は隣に配置される、撮像素子。
【請求項１４】
請求項９〜１３のいずれか一項に記載の撮像素子において、
前記第１出力トランジスタのゲートと接続される第１リセットトランジスタと、
前記第２出力トランジスタのゲートと接続される第２リセットトランジスタと、
前記第３出力トランジスタのゲートと接続される第３リセットトランジスタと、
前記第４出力トランジスタのゲートと接続される第４リセットトランジスタと、
を有する撮像素子。
【請求項１５】
請求項１４に記載の撮像素子において、
前記第１リセットトランジスタは、前記第１接続スイッチを介して前記第１転送トランジスタのドレインと接続され、
前記第２リセットトランジスタは、前記第２接続スイッチを介して前記第２転送トランジスタのドレインと接続され、
前記第３リセットトランジスタは、前記第３接続スイッチを介して前記第３転送トランジスタのドレインと接続され、
前記第４リセットトランジスタは、前記第４接続スイッチを介して前記第４転送トランジスタのドレインと接続される、撮像素子。
【請求項１６】
請求項９〜１５のいずれか一項に記載の撮像素子において、
前記第１出力トランジスタのソースと接続される第１選択トランジスタと、
前記第２出力トランジスタのソースと接続される第２選択トランジスタと、
前記第３出力トランジスタのソースと接続される第３選択トランジスタと、
前記第４出力トランジスタのソースと接続される第４選択トランジスタと、
を有する撮像素子。
【請求項１７】
請求項９〜１６のいずれか一項に記載の撮像素子において、
前記第１出力トランジスタからの信号が出力され、前記第３出力トランジスタからの信号が出力される第１信号線と、
前記第２出力トランジスタからの信号が出力され、前記第４出力トランジスタからの信号が出力され第２信号線と、
を備える撮像素子。
【請求項１８】
請求項１〜１７のいずれか一項に記載の撮像素子を備える撮像装置。
【手続補正２】
【補正対象書類名】明細書
【補正対象項目名】０００４
【補正方法】変更
【補正の内容】
【０００４】
本発明の第１の態様によると、撮像素子は、第１マイクロレンズを透過した光を光電変換する第１光電変換部と、第２マイクロレンズを透過した光を光電変換する第２光電変換部と、前記第１光電変換部で光電変換された電荷を転送する第１転送トランジスタと、前記第２光電変換部で光電変換された電荷を転送する第２転送トランジスタと、第１ゲートを有する第１出力トランジスタと、第２ゲートを有する第２出力トランジスタと、前記第１転送トランジスタのドレインと前記第１ゲートとを接続するための第１接続スイッチと、前記第２転送トランジスタのドレインと前記第２ゲートとを接続するための第２接続スイッチと、を備える。